(57)【特許請求の範囲】
【請求項１】
ハウジングと、
前記ハウジング内に収容され、外部からの電波を受信するためのアンテナとを備え、
前記ハウジングが、少なくとも導電性の時計ケースと、該時計ケースの下面開口部を覆うように装着される導電性の裏蓋とを備え、
前記裏蓋は、上方向に突設するように形成された中子部材を備え、
前記中子部材と前記時計ケースのうち、前記中子部材だけが、平面方向に貫通した開口部を備え、
前記裏蓋に形成したネジ用貫通孔と、前記時計ケースの下端に形成したネジ孔を合致させて固定用ネジで固定し、前記時計ケースと前記裏蓋とを相対的に位置決めし、前記中子部材の開口部を、前記アンテナの開放端部近傍に対向して配置したことを特徴とする無線機能付き時計。
【請求項２】
前記中子部材の開口部が、アンテナの開放両端部に対向し、該中子部材の上端部まで開口されて配置された２つの開口部から構成されていることを特徴とする請求項１に記載の無線機能付き時計。
【請求項３】
前記中子部材の開口部の上下方向に沿った断面が、少なくともアンテナの上下方向に沿った断面より大きく開口するように、該中子部材の上端部まで開口されていることを特徴とする請求項１に記載の無線機能付き時計。
【発明の詳細な説明】
【技術分野】
【０００１】
本発明は、無線機能付き時計、特に、所定の電波を受信できるアンテナと、アンテナを収容するための導電性のハウジングを備えた時計に関する。
【背景技術】
【０００２】
従来、パソコン通信機能、携帯電話機能や非接触式ＩＣカード機能などの無線機能を備える時計は、すでに知られている。
このような無線機能付き時計として、時刻情報を含む長波標準電波（搬送波）を受信し、その時刻情報に基づいて時刻を修正する無線機能を備えた電波時計も、また広く知られている。
【０００３】
これらの無線機能付き時計は、他の通信機器と同様に、所定の電波を受信するためのアンテナを備える必要がある。
このため、電波を受信する機能、すなわち、受信感度からすれば、電波を受信するアンテナを収納する筐体であるハウジングを、合成樹脂などの非導電性の素材から構成することが考えられる。
【０００４】
しかしながら、これら無線機能付き時計は、時計であるがために、他の通信機器と異なり、装飾品、または装身具としての美観や高級観が求められる。
このため、電波を受信するアンテナを収納する筐体であるハウジングを、合成樹脂などの非導電性の素材ではなく、導電性の素材、すなわち、金属製の素材を採用することが求められる。
【０００５】
これは、合成樹脂などのハウジングが、その質感、色調、または軽量さから、安価な外観と装着感とを使用者に与えるものであり、これに対して、金属製のハウジングが、高級感のある外観と装着感とを使用者に与えるためである。
この金属製のハウジングに対する要求は、ユーザーに携帯される装身具としての腕時計において、特に著しいものである。
【０００６】
しかしながら、アンテナを、導電性のハウジング、すなわち、金属製のハウジング内に収納した場合には、アンテナ近傍に発生する磁束が導電材料である金属製のハウジングに吸収され、共振現象が妨げられるため、アンテナが標準電波を受信する受信機能が著しく低下してしまうことになる。
【０００７】
このため、従来より、様々な受信感度向上のための提案がなされている。
例えば、特許文献１（特開２００２−３４１０５７号公報）では、金属製筐体である金属製のハウジングを備える電波時計、特に、電波腕時計が開示されている。
すなわち、図１６に示したように、この電波時計１００は、ハウジング１０２を備えている。
【０００８】
なお、本明細書中、「上下方向」とは、図１６、または、図２において、上下方向を意味する。従って、上面とは、腕時計を手首に装着した状態において、外方に露出する面であり、下面とは、同状態において手首と相対する面である。
【０００９】
また、「平面方向」とは、上下方向に直交する方向であって、図１６において、左右方向を意味するものであり、平面方向が、バンドの長手方向、または、バンドの幅方向と重複する場合もある。
このハウジング１０２は、金属製の枠体を構成する時計ケース１０４と、時計ケース１０４の下面開口部を覆うように密封状態で装着される金属製の裏蓋１０６と、この時計ケースの上面開口部を覆うように、密封状態で装着される風防（ガラス）１０８とを備えている。
【００１０】
このハウジング１０２内には、時計駆動部を構成するムーブメント１１０と、このムーブメント１１０の上面に配置され、ムーブメントを光の起電力によって駆動するためのソーラーセル１１２を備えている。
また、このソーラーセル１１２の上面には、ソーラーセル１１２の発電に寄与する波長の外光を、少なくともムーブメント１１０の駆動に足るだけ透過させる透光機能を有する文字板１１４を備えている。
【００１１】
さらに、このムーブメント１１０の側部下方には、標準電波を受信するためのアンテナ１１６が付設されている。
なお、図示しないが、ムーブメント１１０より突出して、ソーラーセル１１２と文字板１１４とを貫通する針軸に、分針と時針とが配置される。これら分針と時針とは、文字板１１４と風防１０８との間に位置して時刻を表示するようになっている。
【００１２】
さらに、時計ケース１０４は、外方に突出する２組のバンド取り付け部１１８を備えており、これらのバンド取り付け部１１８にはそれぞれ、互いに対向するように、一定間隔離間して配置され、時計ケース１０４より延設された脚部１２０を備えている。
そして、これらの脚部１２０のそれぞれの間に、図示しない腕時計のバンドそれぞれが連結されるようになっている。
【００１３】
ところで、このような金属製外装が採用された電波時計１００においては、アンテナ１１６が電波を受信する際に、金属製の時計ケース１０４において、その環状壁の周方向に沿った渦電流が誘導電流として流れることになる。
この渦電流が、ハウジング１０２の外部からの電波を相殺してしまい、アンテナ１１６の受信感度が極めて低下してしまうことになる。
【００１４】
このような現象を回避するために、この特許文献１の電波時計１００においては、時計ケース１０４の環状壁には、時計ケース１０４を周方向に分断するスリット１２２を備えている。
すなわち、図１６に示したように、時計ケース１０４は、スリット１２２によって、上下方向に沿って完全に分断され、結果として、このスリット１２２によって、時計ケース１０４は、略Ｃ型の枠体の形状となっている。
【００１５】
なお、図１６においては、このスリット１２２を明確にするために省略して、図示はされていないが、このスリット１２２には、非導電性の合成樹脂から成る絶縁部材が埋め込まれた状態となっている。
すなわち、この絶縁部材によって、時計ケース１０４の防水性と強度が維持されるように構成されている。
【００１６】
従って、このスリット１２２を備える電波時計１００では、アンテナ１１６が電波を受信する際に、時計ケース１０４の環状壁の周方向に沿った渦電流が流れないので、導電性である金属製の時計ケース１０４を採用した場合にも、アンテナ１１６の受信が確保されるようになっている。
また、特許文献２（特許第３７９７３３８号公報）の電波時計２００では、図１７に示したように、金属製の導電性の時計ケース２０２のアンテナ２０４の両端部２０４ａ、２０４ｂと対向する肉厚部２０６、すなわち、時計ケース２０２の厚みが平面方向に厚い部
分であるかん部２０６の内壁２０８を削っている。
【００１７】
これにより、アンテナ２０４の両端部２０４ａ、２０４ｂと対向するように、時計ケース２０２内に平面方向に拡張された空間２１０ａ、２１０ｂを形成して、アンテナ２０４の両端部２０４ａ、２０４ｂと時計ケース２０２との距離（平面方向に沿った距離）を大きくするように構成している。
このように構成することによって、特許文献２の電波時計２００では、アンテナ２０４に発生する磁束と時計ケース２０２との干渉が避けられるので、導電性の時計ケース２０２を採用した場合にも、アンテナ２０４の受信特性が劣化しないようになっている。また、時計ケース２０２の肉厚部の内壁を削っているので、時計ケース２０２の強度が低下しないように構成されている。
【特許文献１】特開２００２−３４１０５７号公報
【特許文献２】特許第３７９７３３８号公報
【発明の開示】
【発明が解決しようとする課題】
【００１８】
しかしながら、特許文献１の電波時計１００では、時計ケース１０４の一部に、スリット１２２を形成して、このスリット１２２に合成樹脂からなる絶縁部材を埋め込んだ状態であるので、美観が良好ではなく、高級感に欠けることになり、また、全てを金属で構成した時計ケースに比較して、絶縁部材の部分で強度がどうしても弱くなり、防水性、耐衝撃性、耐磨耗性、耐薬品性にも劣ることになる。
【００１９】
また、特許文献１の電波時計１００では、時計ケース１０４の一部に、スリット１２２を形成して、アンテナ１１６による受信感度を向上するようにしているが、受信時に電波時計１００がおかれている場所によっては、または、その周囲の環境によっては、さらには時計の姿勢などによっても、しばしばアンテナが受信できないことがあった。
【００２０】
従って、特許文献１のようにスリット１２２を備える電波時計１００にあっても、そのアンテナ１１６の受信感度は、いまだ十分な受信感度を得ているとは言い難いものである。
また、特許文献２の電波時計２００では、時計ケース２０２の肉厚部２０６の内壁２０８を削って、アンテナ２０４の両端部２０４ａ、２０４ｂと時計ケース２０２との距離を一定に確保するための空間２１０ａ、２１０ｂを形成しなければならず、時計ケース２０２がある程度厚さを有する肉厚部２０６を備えなければならないので、時計ケース２０２を平面方向に沿って小さくできず、小型化することができず、汎用性にも欠けることになる。
【００２１】
さらに、特許文献２の電波時計２００では、時計ケース２０２の肉厚部２０６の内壁２０８を削って、アンテナ２０４の両端部２０４ａ、２０４ｂと時計ケース２０２との距離を一定に確保するための拡張された空間２１０ａ、２１０ｂを形成している。
従って、時計ケース２０２を塞ぐ裏蓋は、この拡張された拡張された空間２１０ａ、２１０ｂをも塞がなければならないので、この拡張された空間２１０ａ、２１０ｂの形状に対応した形状を有する特殊な形状の裏蓋を作製しなければならない。そのため、特許文献２の電波時計２００では、加工性や生産性が低下することになる。
【００２２】
また、このように拡張された空間２１０ａ、２１０ｂを形成するために、肉厚部を有していない時計ケースの内壁を削ると、時計ケースの内壁が薄くなってしまい、強度の低下を招くことになる。従って、特許文献２の電波時計２００では、肉厚部を備える時計ケースのみに適用することが可能であり、肉厚部を備える時計ケースはむしろ限られているので、汎用性に欠けることになる。
【００２３】
本発明は、このような現状に鑑み、美観が良好で、高級感を有し、強度的にも優れ、内部に収容したアンテナが確実に電波を受信することが可能な無線機能付き時計を提供することを目的とする。
また、本発明は、従来のように時計ケースが肉厚部を備える必要がなく、時計ケースを平面方向に沿って小さくでき、時計自体を小型化することが可能であり、しかも、従来のように時計ケースの内壁を削る必要がなく、時計ケースの肉厚部が不要で、裏蓋の形状が特殊な形状にならず、加工性、生産性、汎用性に優れた無線機能付き時計を提供することを目的とする。
【課題を解決するための手段】
【００２４】
本発明は、前述したような従来技術における課題及び目的を達成するために発明されたものであって、本発明の無線機能付き時計は、
無線機能付き時計であって、
ハウジングと、
前記ハウジング内に収容され、外部からの電波を受信するためのアンテナとを備え、
前記ハウジングが、少なくとも時計ケースと、時計ケースの下面開口部を覆うように装着される導電性の裏蓋とを備え、
前記裏蓋が、上方向に突設するように形成された中子部材を備え、
前記中子部材が、中子部材を平面方向に貫通し、アンテナの開放端部近傍に対向して配置された開口部を備えることを特徴とする。
【００２５】
このように構成することによって、中子部材を平面方向に貫通し、アンテナの開放端部近傍に対向して配置された開口部を備えるので、電波の受信を妨げる導電性の中子部材が存在しないので、アンテナの開放両端部と導電性の中子部材との距離が大きくなる。
従って、アンテナの開放両端部に発生する磁束と導電性の中子部材との干渉が避けられるとともに、これらの開口部を介して、電波がアンテナの開放端部に受信され、導電性の時計ケースや裏蓋を採用した場合にも、アンテナの受信感度の低下が阻止されることになり、アンテナの受信感度が向上することになる。
【００２６】
このため、導電性の時計ケースや裏蓋を採用することができるので、美観が良好で、高級感を有し、強度的にも優れ、内部に収容したアンテナが確実に電波を受信することが可能な無線機能付き時計を提供することができる。
また、このように中子部材を平面方向に貫通し、アンテナの開放端部近傍に対向して配置された開口部を備えるだけで良いので、従来のように時計ケースが肉厚部を備える必要がなく、時計ケースを平面方向に沿って小さくでき、時計自体を小型化することが可能である。
【００２７】
しかも、従来のように時計ケースの内壁を削る必要がなく、時計ケースの肉厚部が不要で、裏蓋の形状が特殊な形状にならず、開口部を、例えば、極めて簡単な切削加工で形成することができ、加工性、生産性に優れる。
さらに、従来のように時計ケースの内壁を削る必要がないので、肉厚部を備えない、あらゆる時計ケースに適用することができ、汎用性に優れた無線機能付き時計を提供することができる。
【００２８】
本発明における時計ケースを含むハウジングは、金属のような導電性であっても、合成樹脂のような非導電性であってもかまわない。または、ハウジングを構成する部品に、導電性の部品と、非導電性の部品が混在してもかまわない。ハウジングは、少なくとも一部が導電性、または少なくとも一部が非導電性の部材と理解される。
【００２９】
なお、本発明において、導電性の部材とは、「その部材の素材自体が導電性の部材であるもの」、または、「その部材に導電性の被膜が被覆されたもの」を言う。後者の場合、部材の素材自体は、非導電性の素材であっても、導電性の素材であっても、または、非導電性の素材と導電性の素材の組み合わせであってもよい。
【００３０】
逆に、非導電性の部材とは、「その部材の素材自体が非電性の部材であるもの」、または、「その部材に非電性の被膜が被覆されたもの」を言う。後者の場合、部材の素材自体は、非導電性の素材であっても、導電性の素材であっても、または、非導電性の素材と導電性の素材の組み合わせであってもよい。
【００３１】
裏蓋を構成する導電性の材料としては、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００３２】
なお、裏蓋は、全体が導電性の材料から構成する必要はなく、少なくとも、中子部材が導電性の材料から構成される場合を含むものである。
また、本発明の無線機能付き時計は、前記中子部材の開口部が、アンテナの開放両端部に対向して配置された２つの開口部から構成されていることを特徴とする。
【００３３】
このように構成することによって、アンテナの開放両端部に対向する裏蓋の中子部材の部分には、２つの開口部が設けられており、電波の受信を妨げる導電性の中子部材が存在しないので、アンテナの開放両端部と導電性の中子部材との距離が大きくなる。
【００３４】
従って、アンテナの開放両端部に発生する磁束と導電性の中子部材との干渉が避けられるとともに、これらの２つの開口部を介して、電波がアンテナの開放端部に受信され、導電性の時計ケースや裏蓋を採用した場合にも、アンテナの受信感度の低下が阻止されることになり、アンテナの受信感度が向上することになる。
【００３５】
また、本発明の無線機能付き時計は、前記中子部材の開口部が、アンテナの少なくとも一方の開放端部に対向して配置された開口部から構成されていることを特徴とする。
このように構成することによって、アンテナの少なくとも一方の開放端部に対向する裏蓋の中子部材の部分には、開口部が設けられており、電波の受信を妨げる導電性の中子部材が存在しないので、アンテナの少なくとも一方の開放端部と導電性の中子部材との距離が大きくなる。
【００３６】
従って、アンテナの少なくとも一方の開放端部に発生する磁束と導電性の中子部材との干渉が避けられるとともに、アンテナの少なくとも一方の開放端部を介して、電波がアンテナの開放端部に受信され、導電性の時計ケースや裏蓋を採用した場合にも、アンテナの受信感度の低下が阻止されることになり、アンテナの受信感度が向上することになる。
【００３７】
また、本発明の無線機能付き時計は、前記中子部材の開口部が、アンテナの軸線の延長上に位置することを特徴とする。
このように構成することによって、中子部材の開口部が、アンテナの軸線の延長上に位置するので、アンテナの開放両端部に対向し、アンテナの軸線の延長上に位置する裏蓋の中子部材の部分には、開口部が設けられていることになるので、電波の受信を妨げる導電性の中子部材が存在しないので、アンテナの開放両端部と導電性の中子部材との距離が大きくなる。
【００３８】
従って、アンテナの開放両端部に発生する磁束と導電性の中子部材との干渉が避けられるとともに、開口部を介して、電波がアンテナの開放端部に受信され、導電性の時計ケー
スや裏蓋を採用した場合にも、アンテナの受信感度の低下が阻止されることになり、アンテナの受信感度が向上することになる。
【００３９】
また、本発明の無線機能付き時計は、前記アンテナの軸線が、アンテナが円弧形状である場合、アンテナの開放両端部分を結ぶ弦であることを特徴とする。
このようにアンテナの軸線が、アンテナが円弧形状である場合、アンテナの開放両端部分を結ぶ弦であれば、アンテナが円弧形状である場合であっても、中子部材の開口部が、アンテナの軸線の延長上に位置することになる。
【００４０】
従って、アンテナの開放両端部に対向し、アンテナの軸線の延長上に位置する裏蓋の中子部材の部分には、開口部が設けられていることになるので、電波の受信を妨げる導電性の中子部材が存在しないので、アンテナの開放両端部と導電性の中子部材との距離が大きくなる。
【００４１】
その結果、アンテナの開放両端部に発生する磁束と導電性の中子部材との干渉が避けられるとともに、開口部を介して、電波がアンテナの開放端部に受信され、導電性の時計ケースや裏蓋を採用した場合にも、アンテナの受信感度の低下が阻止されることになり、アンテナの受信感度が向上することになる。
【００４２】
また、本発明の無線機能付き時計は、前記中子部材の開口部の上下方向に沿った断面が、少なくともアンテナの上下方向に沿った断面より大きく開口されていることを特徴とする。
このように構成することによって、中子部材の開口部の上下方向に沿った断面が、少なくともアンテナの上下方向に沿った断面より大きく開口しているので、アンテナの開放両端部に発生する磁束と導電性の中子部材との干渉がより避けられるとともに、開口部を介して、電波がアンテナの開放端部にさらに良好に受信され、導電性の時計ケースや裏蓋を採用した場合にも、アンテナの受信感度の低下が阻止されることになり、アンテナの受信感度がさらに向上することになる。
【００４３】
また、本発明の無線機能付き時計は、前記中子部材の開口部の上下方向に沿った断面が、少なくともアンテナのコアの上下方向に沿った断面より大きく開口されていることを特徴とする。
このように構成することによって、中子部材の開口部の上下方向に沿った断面が、少なくともアンテナのコアの上下方向に沿った断面より大きく開口しているので、アンテナの開放両端部、すなわち、少なくともアンテナのコア周りに発生する磁束と導電性の中子部材との干渉が避けられるとともに、開口部を介して、電波がアンテナの開放端部に受信され、導電性の時計ケースや裏蓋を採用した場合にも、アンテナの受信感度の低下が阻止されることになり、アンテナの受信感度が向上することになる。
【００４４】
また、本発明の無線機能付き時計は、前記中子部材の開口部が、中子部材を平面方向に貫通するように形成した開口孔であることを特徴とする。
このように中子部材の開口部が、中子部材を平面方向に貫通するように形成した開口孔であれば、中子部材の強度を大きく維持することができ、しかも、開口部を、例えば、プレス加工や切削加工などの極めて簡単な加工で形成することができ、加工性、生産性に優れる。
【００４５】
また、後述するように、裏蓋の外周部に形成された固定ネジ用貫通孔を、時計ケースの下端に形成されたネジ孔に合致させて、固定用ネジで固定することによって、裏蓋を時計ケースに固定するように構成する場合に、中子部材のネジ部が占める面積を広く確保することができ、時計ケースと裏蓋との螺合による大きい固定力を維持することができ、その
結果、裏蓋を時計ケースに確実に固定することができる。
【００４６】
また、本発明の無線機能付き時計は、前記中子部材の開口部が、中子部材の上端部が開放端となるように、中子部材を平面方向に貫通するように形成したスリットであることを特徴とする。
このように中子部材の開口部が、中子部材の上端部が開放端となるように、中子部材を平面方向に貫通するように形成したスリットであれば、開口部を、例えば、プレス加工や切削加工などの極めて簡単な加工で形成することができ、加工性、生産性に優れる。
【００４７】
また、本発明の無線機能付き時計は、前記中子部材の開口部が、平面視において、時計ケースの内壁が描く円の中心Ｏから、中子部材の周方向に沿った開口部の両端部とを結ぶ２つの半径が成す角度をαとした場合に、角度αが、１０°〜８０°の範囲にあることを特徴とする。
このような範囲に角度αがあるように、中子部材の開口部を設けることによって、中子部材の開口部が、アンテナの開放端部近傍に対向して確実に配置されることになり、アンテナの開放端部近傍に電波の受信を妨げる導電性の中子部材が存在しないので、アンテナの開放両端部と導電性の中子部材との距離が大きくなる。
【００４８】
従って、アンテナの開放両端部に発生する磁束と導電性の中子部材との干渉が避けられるとともに、これらの開口部を介して、電波がアンテナの開放端部に受信され、導電性の時計ケースや裏蓋を採用した場合にも、アンテナの受信感度の低下が阻止されることになり、アンテナの受信感度が向上することになる。
【００４９】
すなわち、角度αが上記の範囲より大きくなれば、中子部材の開口部以外の面積が小さくなって、中子部材の強度が小さくなるとともに、中子部材の開口部以外の面積が減るため、時計ケースと裏蓋との固定力も低下して、時計ケースと裏蓋との固定力が低下してしまい、その結果、裏蓋を時計ケースに確実に固定することができない。
一方、角度αが上記の範囲より小さくなれば、裏蓋の中子部材の開口部を、アンテナの開放端部近傍に対向して配置できなくなり、特に、中子部材の開口部を、アンテナの軸線の延長上に位置するよう配置できなくなり、アンテナの受信感度が低下してしまうからである。
【００５０】
この場合、後述するように、裏蓋の外周部に形成された固定ネジ用貫通孔を、時計ケースの下端に形成されたネジ孔に合致させて、固定用ネジで固定するように構成した場合に好適である。
すなわち、裏蓋を時計ケースにある程度固定した状態で、裏蓋を、時計ケースに対してさらに強く締め込むことによって、裏蓋は、時計回りに回転した位置をとり、逆に、弱い締め込み状態であれば、裏蓋は、反時計回りに回転した位置をとることになる。
【００５１】
従って、裏蓋の時計ケースに対する締め具合の強弱によって、裏蓋と時計ケースとの相対的な位置、すなわち、裏蓋の中子部材の開口部とアンテナの開放両端部との相対的な位置が変わることになる。
このため、裏蓋の時計ケースに対する締め具合が強弱に変化しても、裏蓋の中子部材の開口部を、アンテナの開放端部近傍に対向して確実に配置するためには、特に、中子部材の開口部を、アンテナの軸線の延長上に位置するようにするために、このような範囲に角度αがあればよい。
【００５２】
すなわち、角度αが上記の範囲より大きくなれば、中子部材の開口部以外の面積が小さくなって、中子部材の強度が小さくなるとともに、中子部材のネジ部が占める面積が減るため、時計ケースと裏蓋との螺合による固定力も低下して、時計ケースと裏蓋との螺合に
よる固定力が低下してしまい、その結果、裏蓋を時計ケースに確実に固定することができない。
【００５３】
一方、角度αが上記の範囲より小さくなれば、裏蓋の時計ケースに対する締め具合が強弱に変化した場合に、裏蓋の中子部材の開口部を、アンテナの開放端部近傍に対向して配置できなくなり、特に、中子部材の開口部を、アンテナの軸線の延長上に位置するよう配置できなくなり、アンテナの受信感度が低下してしまうからである。
【００５４】
この場合、角度αが、好ましくは、２０°〜７０°の範囲、さらに好ましくは、３０°〜６０°の範囲、もっとも好ましくは、４０°〜５０°の範囲にあるのが望ましい。
また、本発明の無線機能付き時計は、前記アンテナの軸線の延長と時計ケースの内壁が描く円との交点Ｘと、時計ケースの内壁が描く円の中心Ｏとを結ぶ直線が、前記角度αを二等分するように構成されていることを特徴とする。
【００５５】
このように、アンテナの軸線の延長と時計ケースの内壁が描く円との交点Ｘと、時計ケースの内壁が描く円の中心Ｏとを結ぶ直線が、角度αを二等分するように構成すれば、裏蓋の時計ケースに対する締め具合が強弱に変化しても、裏蓋の中子部材の開口部を、アンテナの開放端部近傍に対向して確実に配置することができ、特に、中子部材の開口部が、アンテナの軸線の延長上に位置するので、アンテナの受信感度が低下することがない。
【００５６】
また、本発明の無線機能付き時計は、
前記時計ケースが、時計ケースの内壁に形成された係合用凹部を備え、
前記裏蓋の中子部材が、時計ケースの係合用凹部内に係合する係合用凸部を備え、
前記時計ケースの係合用凹部内に、裏蓋の中子部材の係合用凸部を係合することによって、裏蓋を時計ケースに固定するように構成したことを特徴とする。
【００５７】
このように、時計ケースの係合用凹部内に、裏蓋の中子部材の係合用凸部を係合することによって、裏蓋を時計ケースに固定するように構成することによって、裏蓋を時計ケースに固定する際には、時計ケースの係合用凹部内と、裏蓋の中子部材の係合用凸部とが一致するように位置合わせされて、裏蓋の中子部材がケース内に押し込まれる。
【００５８】
これにより、時計ケースの係合用凹部内に、裏蓋の中子部材の係合用凸部が挿入され、裏蓋と時計ケースとが機械的に凹凸係合され、裏蓋を時計ケースに確実に固定することができる。
従って、時計ケースの係合用凹部と、裏蓋の中子部材の係合用凸部とが、位置合わせされて、時計ケースと裏蓋とが互いに固定されるので、時計ケースと裏蓋の相対的な位置が、正確に決定されることになる。
【００５９】
このため、裏蓋の中子部材の開口部を、アンテナの開放端部近傍に対向して確実に配置することができ、特に、中子部材の開口部を、アンテナの軸線の延長上に位置することができるため、アンテナの受信感度が低下することがない。
また、本発明の無線機能付き時計は、前記時計ケースの係合用凹部と、裏蓋の中子部材の係合用凸部が、中子部材の開口部が形成されていない位置に配置されていることを特徴とする。
【００６０】
このように時計ケースの係合用凹部と、裏蓋の中子部材の係合用凸部が、中子部材の開口部が形成されていない位置に配置することによって、時計ケースの係合用凹部と、裏蓋の中子部材の係合用凸部との機械的な凹凸係合によって、中子部材の開口部が形成されていない位置で、裏蓋を時計ケースに確実に固定することができる。
【００６１】
また、本発明の無線機能付き時計は、
前記時計ケースの係合用凹部と、裏蓋の中子部材の係合用凸部が、２組設けられており、
前記２組の時計ケースの係合用凹部と、裏蓋の中子部材の係合用凸部が、中子部材の開口部が形成されていない位置に相互に対向するように配置されていることを特徴とする。
【００６２】
このように２組の時計ケースの係合用凹部と、裏蓋の中子部材の係合用凸部が、中子部材の開口部が形成されていない位置に相互に対向するように配置されているので、２組の時計ケースの係合用凹部と、裏蓋の中子部材の係合用凸部との機械的な凹凸係合によって、裏蓋を時計ケースにさらに確実に固定することができる。
【００６３】
また、本発明の無線機能付き時計は、
前記時計ケースの係合用凹部と、裏蓋の中子部材の係合用凸部が、少なくとも３組設けられており、
前記少なくとも３組の時計ケースの係合用凹部と、裏蓋の中子部材の係合用凸部が、中子部材の開口部が形成されていない位置に略均等に配置されていることを特徴とする。
【００６４】
このように少なくとも３組の時計ケースの係合用凹部と、裏蓋の中子部材の係合用凸部が、中子部材の開口部が形成されていない位置に略均等に配置されているので、これらの略均等に配置された少なくとも３組の時計ケースの係合用凹部と、裏蓋の中子部材の係合用凸部との機械的な凹凸係合によって、裏蓋を時計ケースにさらに確実に固定することができる。
【００６５】
また、本発明の無線機能付き時計は、
前記時計ケースが、時計ケースの下端に形成されたネジ孔を備え、
前記裏蓋が、時計ケースのネジ孔に対応して、裏蓋の外周部に形成された固定ネジ用貫通孔を備え、
前記裏蓋の外周部に形成された固定ネジ用貫通孔を、時計ケースの下端に形成されたネジ孔に合致させて、固定用ネジで固定することによって、裏蓋を時計ケースに固定するように構成したことを特徴とする。
【００６６】
このように裏蓋の外周部に形成された固定ネジ用貫通孔を、時計ケースの下端に形成されたネジ孔に合致させて、固定用ネジで固定することによって、裏蓋を時計ケースに固定するように構成したので、裏蓋を時計ケースに固定する際には、時計ケースのネジ孔と裏蓋の蓋本体の固定ネジ用貫通孔とが一致するように位置合わせされる。
【００６７】
そして、この状態で、固定用ネジを固定ネジ用貫通孔に挿通し、時計ケースのネジ孔に螺合することによって、裏蓋が時計ケースに固定される。この際、時計ケースのネジ孔と裏蓋の蓋本体の固定ネジ用貫通孔とが位置合わせされて、時計ケースと裏蓋とが互いに固定されるので、時計ケースと裏蓋の相対的な位置が、正確に決定されることになる。
【００６８】
このため、裏蓋の中子部材の開口部を、アンテナの開放端部近傍に対向して確実に配置することができ、特に、中子部材の開口部を、アンテナの軸線の延長上に位置することができるため、アンテナの受信感度が低下することがない。
【００６９】
また、本発明の無線機能付き時計は、
前記時計ケースが、時計ケースの内壁に形成された雌ネジ部を備え、
前記裏蓋の中子部材が、時計ケースの雌ネジ部に対応して、中子部材の外周部に形成された雄ネジ部を備え、
前記裏蓋の中子部材の外周部に形成された雄ネジ部を、時計ケースの内壁に形成された
雌ネジ部と螺合することによって、裏蓋を時計ケースに固定するように構成したことを特徴とする。
【００７０】
このように構成することによって、裏蓋の中子部材の外周部に形成された雄ネジ部を、時計ケースの内壁に形成された雌ネジ部と螺合することによって、裏蓋を時計ケースに確実に固定することができる。
【発明の効果】
【００７１】
本発明によれば、中子部材を平面方向に貫通し、アンテナの開放端部近傍に対向して配置された開口部を備えるので、電波の受信を妨げる導電性の中子部材が存在しないので、アンテナの開放両端部と導電性の中子部材との距離が大きくなる。
従って、アンテナの開放両端部に発生する磁束と導電性の中子部材との干渉が避けられるとともに、これらの開口部を介して、電波がアンテナの開放端部に受信され、導電性の時計ケースや裏蓋を採用した場合にも、アンテナの受信感度の低下が阻止されることになり、アンテナの受信感度が向上することになる。
【００７２】
このため、導電性の時計ケースや裏蓋を採用することができるので、美観が良好で、高級感を有し、強度的にも優れ、内部に収容したアンテナが確実に電波を受信することが可能な無線機能付き時計を提供することができる。
また、このように中子部材を平面方向に貫通し、アンテナの開放端部近傍に対向して配置された開口部を備えるだけで良いので、従来のように時計ケースが肉厚部を備える必要がなく、時計ケースを平面方向に沿って小さくでき、時計自体を小型化することが可能である。
【００７３】
しかも、従来のように時計ケースの内壁を削る必要がなく、時計ケースの肉厚部が不要で、裏蓋の形状が特殊な形状にならず、開口部を、例えば、極めて簡単な切削加工で形成することができ、加工性、生産性に優れる。
さらに、従来のように時計ケースの内壁を削る必要がないので、肉厚部を備えない、あらゆる時計ケースに適用することができ、汎用性に優れた無線機能付き時計を提供することができる。
【発明を実施するための最良の形態】
【００７４】
以下、本発明の実施の形態（実施例）を図面に基づいてより詳細に説明する。
（実施例１）
【００７５】
図１は、本発明の無線機能付き時計の実施例の分解斜視図、図２は、図１の無線機能付き時計の組み立てた状態のＡ−Ａ線方向の部分拡大断面図、図３は、図１の無線機能付き時計の組み立てた状態のＢ−Ｂ線方向の部分拡大断面図、図４は、図１の無線機能付き時計の裏蓋の中子部材の開口部の配置を示す実施例の上面図である
【００７６】
なお、図４の上面図では、説明の便宜上、ムーブメント２０、ソーラーセル２２などの構成部品を省略して図示している。以下の図面においても同様である。
図１〜図４において、符号１０は、全体で本発明の無線機能付き時計を示している。
【００７７】
なお、本発明で言う「無線機能付き時計」とは、例えば、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計を含むものであり、その他の無線機能を含んでもよいことは勿論である。
【００７８】
図１〜図４に示したように、本発明の無線機能付き時計１０は、ハウジング１２を備えている。
このハウジング１２は、金属製の略円筒形状の枠体を構成する時計ケース１４と、時計ケース１４の下面開口部を覆うように密封状態で装着される金属製の裏蓋１６と、この時計ケースの上面開口部を覆うように、密封状態で装着される風防（ガラス）１８とを備えている。
【００７９】
このハウジング１２内には、時計駆動部を構成するムーブメント２０と、このムーブメント２０の上面に配置され、ムーブメント２０を光の起電力によって駆動するためのソーラーセル２２を備えている。
また、このソーラーセル２２の上面には、ソーラーセルの発電に寄与する波長の外光を、少なくともムーブメント２０の駆動に足るだけ透過させる透光機能を有する文字板２４を備えている。
【００８０】
さらに、このムーブメント２０の側部下方の小径部２０ａには、標準電波を受信するためのアンテナ２６が付設されている。
なお、この実施例では、アンテナ２６は、コアとなる棒状の磁芯部材２６ｃと、この磁芯部材の外周に巻かれたコイル２６ｄとより成るバーアンテナとして図示しているが、その他の構成のアンテナ部材から構成することも勿論可能である。
【００８１】
なお、文字板２４は、ソーラーセルの発電に寄与する波長の外光を透過する透光機能を有するものであれば特に限定されるものではないが、例えば、合成樹脂、セラミック、ガラス、木材、紙、不織布、織布、または、貝などの非導電性材料で構成することによって、外部からの電波がさらにアンテナ２６に到達しやすくなるため、アンテナの受信感度を向上することができる。
【００８２】
さらに、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０を備えている。
そして、これらの脚部３０のそれぞれの間に、図示しない腕時計のバンドそれぞれが連結されるようになっている。
【００８３】
なお、ムーブメント２０より突出して、ソーラーセル２２と文字板２４とを貫通する針軸３１には、分針１１と時針１３とが配置される。これら分針と時針とは、文字板２４と風防１８との間に位置して時刻を表示するようになっている。
また、図２〜図４に示したように、時計ケース１４の本体部から内側に突出するように設けられた突出部３２が形成されている。
【００８４】
また、この突出部３２の上端と、時計ケース１４の上端内周側には、風防１８を密封状態で固定するための固定（防水）パッキン４６が介装されている。
一方、裏蓋１６には、内側に突設する中子部材４８が形成されており、この中子部材４８の外周側には、離間して形成された複数の係合用凸部５０が突設されている。そして、時計ケース１４の下端近傍の内周側には、この裏蓋１６の中子部材４８の係合用凸部５０が嵌合する係合用凹部５２が形成されている。
【００８５】
また、ムーブメント２０の側部上方の大径部２０ｂと、中子部材４８の上端部との間には、支持枠５４が介装されている。
このように構成することによって、裏蓋１６の中子部材４８の係合用凸部５０を、時計ケース１４の下端近傍の内周側の係合用凹部５２に係合することによって、時計ケース１４の本体部から内側に突出するように設けられた突出部３２と、裏蓋１６の中子部材４８
の上端部との間で、支持枠５４を介して、ムーブメント２０、ソーラーセル２２、文字板２４が、時計ケース１４の内部に固定され、収容されるようになっている。
【００８６】
支持枠５４は、合成樹脂などの非導電性材料から成る。ハウジングの一部を構成する時計ケース１４がステンレスのような導電性材料からなる場合は、支持枠５４は、導電性の時計ケース１４とアンテナ２６との平面方向に沿った隙間を確保し、アンテナ２６の受信性能を高く維持する。
【００８７】
また、裏蓋１６は、導電性の材料から構成されており、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
なお、裏蓋１６は、全体が導電性の材料から構成する必要はなく、少なくとも、中子部材４８が導電性の材料から構成される場合を含むものである。
【００８８】
なお、図２において、符号５１は、裏蓋１６と時計ケース１４との間を、密封状態で封止するための防水パッキンである。
また、裏蓋１６の中子部材４８には、図１、図２、図４に示したように、中子部材４８を平面方向に貫通し、アンテナ２６の開放両端部２６ａ、２６ｂの近傍に対向して配置された開口部３４、すなわち、開口部３４ａ、３４ｂが形成されている。
【００８９】
このように構成することによって、中子部材４８を平面方向に貫通し、アンテナ２６の開放両端部２６ａ、２６ｂの近傍に対向して配置された開口部３４ａ、３４ｂを備えるので、電波の受信を妨げる導電性の中子部材４８が存在しないので、アンテナ２６の開放両端部２６ａ、２６ｂと導電性の中子部材４８との距離が大きくなる。
【００９０】
従って、アンテナ２６の開放両端部２６ａ、２６ｂに発生する磁束と導電性の中子部材４８との干渉が避けられるとともに、これらの開口部３４ａ、３４ｂを介して、電波がアンテナ２６の開放両端部２６ａ、２６ｂに受信され、導電性の時計ケース１４や裏蓋１６を採用した場合にも、アンテナ２６の受信感度の低下が阻止されることになり、アンテナ２６の受信感度が向上することになる。
【００９１】
このため、導電性の時計ケース１４や裏蓋１６を採用することができるので、美観が良好で、高級感を有し、強度的にも優れ、内部に収容したアンテナが確実に電波を受信することが可能な無線機能付き時計を提供することができる。
また、このように中子部材４８を平面方向に貫通し、アンテナ２６の開放両端部２６ａ、２６ｂの近傍に対向して配置された開口部３４ａ、３４ｂを備えるだけで良いので、従来のように時計ケース１４が肉厚部を備える必要がなく、時計ケース１４を平面方向に沿って小さくでき、時計自体を小型化することが可能である。
【００９２】
しかも、従来のように時計ケース１４の内壁を削る必要がなく、時計ケース１４の肉厚部が不要で、裏蓋１６の形状が特殊な形状にならず、開口部３４ａ、３４ｂを、例えば、極めて簡単な切削加工で形成することができ、加工性、生産性に優れる。
この場合、この実施例では、中子部材４８の開口部３４が、アンテナ２６の開放両端部２６ａ、２６ｂに対向して配置された２つの開口部３４ａ、３４ｂから構成したが、図５に示したように、中子部材４８の開口部３４が、アンテナ２６の少なくとも一方の開放端部、例えば、図５の実施例のように、アンテナ２６の開放端部２６ａに対向して配置された開口部３４ａから構成しても良い。
【００９３】
このように構成することによって、アンテナ２６の少なくとも一方の開放端部２６ａに対向する裏蓋１６の中子部材４８の部分には、開口部３４ａが設けられており、電波の受信を妨げる導電性の中子部材４８が存在しないので、アンテナ２６の少なくとも一方の開放端部２６ａと導電性の中子部材４８との距離が大きくなる。
【００９４】
従って、アンテナ２６の少なくとも一方の開放端部２６ａに発生する磁束と導電性の中子部材４８との干渉が避けられるとともに、アンテナ２６の少なくとも一方の開放端部２６ａを介して、電波がアンテナ２６の開放端部に受信され、導電性の時計ケース１４や裏蓋１６を採用した場合にも、アンテナ２６の受信感度の低下が阻止されることになり、アンテナの受信感度が向上することになる。
【００９５】
この場合、図２、図４に示したように、中子部材４８の開口部３４が、アンテナ２６の軸線Ｃの延長上に位置するのが望ましい。
このように構成することによって、中子部材４８の開口部３４が、アンテナ２６の軸線Ｃの延長上に位置するので、アンテナ２６の開放両端部２６ａ、２６ｂに対向し、アンテナ２６の軸線Ｃの延長上に位置する裏蓋１６の中子部材４８の部分には、開口部３４ａ、３４ｂが設けられていることになるので、電波の受信を妨げる導電性の中子部材４８が存在しないので、アンテナ２６の開放両端部２６ａ、２６ｂと導電性の中子部材４８との距離が大きくなる。
【００９６】
従って、アンテナ２６の開放両端部２６ａ、２６ｂに発生する磁束と導電性の中子部材４８との干渉が避けられるとともに、開口部３４ａ、３４ｂを介して、電波がアンテナ２６の開放端部に受信され、導電性の時計ケース１４や裏蓋１６を採用した場合にも、アンテナ２６の受信感度の低下が阻止されることになり、アンテナ２６の受信感度が向上することになる。
【００９７】
この場合、図６に示したように、アンテナ２６の軸線Ｃが、アンテナ２６が円弧形状である場合、アンテナ２６の開放両端部２６ａ、２６ｂを結ぶ弦Ｄであるのが望ましい。
このようにアンテナ２６の軸線Ｃが、アンテナ２６が円弧形状である場合、アンテナ２６の開放両端部２６ａ、２６ｂを結ぶ弦Ｄであれば、アンテナ２６が円弧形状である場合であっても、中子部材４８の開口部３４ａ、３４ｂが、アンテナ２６の軸線、すなわち、弦Ｄの延長上に位置することになる。
【００９８】
また、中子部材４８の開口部３４の大きさとしては、図２に示したように、中子部材４８の開口部３４の上下方向に沿った断面Ｈが、少なくともアンテナ２６の上下方向に沿った断面Ｅ、すなわち、コアとなる棒状の磁芯部材２６ｃと、この磁芯部材の外周に巻かれたコイル２６ｄを合わせた上下方向に沿った断面Ｅより大きく開口されているのが望ましい。
【００９９】
このように構成することによって、中子部材４８の開口部３４の上下方向に沿った断面Ｈが、少なくともアンテナ２６の上下方向に沿った断面Ｅより大きく開口しているので、アンテナ２６の開放両端部２６ａ、２６ｂに発生する磁束と導電性の中子部材４８との干渉がより避けられるとともに、開口部３４を介して、電波がアンテナ２６の開放端部にさらに良好に受信され、導電性の時計ケース１４や裏蓋１６を採用した場合にも、アンテナ２６の受信感度の低下が阻止されることになり、アンテナの受信感度がさらに向上することになる。
【０１００】
また、中子部材４８の開口部３４の大きさとしては、図示しないが、中子部材４８の開口部３４の上下方向に沿った断面Ｈが、少なくともアンテナ２６のコアの上下方向に沿った断面Ｆ、すなわち、コアとなる棒状の磁芯部材２６ｃに対応する上下方向に沿った断面Ｆより大きく開口されているのが望ましい。
【０１０１】
このように構成することによって、中子部材４８の開口部３４の上下方向に沿った断面Ｈが、少なくともアンテナ２６のコアの上下方向に沿った断面Ｆより大きく開口しているので、アンテナ２６の開放両端部２６ａ、２６ｂ、すなわち、少なくともアンテナのコア周りに発生する磁束と導電性の中子部材４８との干渉が避けられるとともに、開口部３４を介して、電波がアンテナ２６の開放端部にさらに良好に受信され、導電性の時計ケース１４や裏蓋１６を採用した場合にも、アンテナ２６の受信感度の低下が阻止されることになり、アンテナ２６の受信感度が向上することになる。
なお、以下の実施例においても、上記の中子部材４８の開口部の大きさは同様である。
【０１０２】
さらに、この実施例では、中子部材４８の開口部３４が、中子部材４８を平面方向に貫通するように形成した開口孔の形状である。
このように中子部材４８の開口部３４が、中子部材４８を平面方向に貫通するように形成した開口孔であれば、中子部材４８の強度を大きく維持することができ、しかも、開口部３４を、例えば、プレス加工や切削加工などの極めて簡単な加工で形成することができ、加工性、生産性に優れる。
【０１０３】
また、このように中子部材４８の開口部３４が、中子部材４８を平面方向に貫通するように形成した開口孔であれば、後述の図１０〜図１３に示した実施例３で説明するように、中子部材４８の外周部に形成された雄ネジ部４８ｃを、時計ケース１４の内壁に形成された雌ネジ部１４ｃと螺合することによって、裏蓋１６を時計ケース１４に固定することによって、裏蓋１６を時計ケース１４に固定するように構成する場合に、中子部材４８の雄ネジ部４８ｃが占める面積を広く確保することができ、時計ケース１４と裏蓋１６との螺合による大きい固定力を維持することができ、その結果、裏蓋１６を時計ケース１４に確実に固定することができる。
【０１０４】
また、この場合、後述の図１０〜図１３に示した実施例３で説明するように、中子部材４８の開口部３４が、平面視において、時計ケース１４の内壁が描く円の中心Ｏから、中子部材４８の周方向に沿った開口部３４の両端部３４ｃ、３４ｄとを結ぶ２つの半径Ｒ１、Ｒ２が成す角度をαとした場合に、角度αが、１０°〜８０°の範囲にあるのが望ましい。
【０１０５】
このような範囲に角度αがあるように、中子部材４８の開口部３４を設けることによって、中子部材４８の開口部３４が、アンテナ２６の開放端部の近傍に対向して確実に配置されることになり、アンテナ２６の開放端部の近傍に電波の受信を妨げる導電性の中子部材４８が存在しないので、アンテナ２６の開放端部と導電性の中子部材４８との距離が大きくなる。
【０１０６】
従って、アンテナ２６の開放端部に発生する磁束と導電性の中子部材４８との干渉が避けられるとともに、これらの開口部３４を介して、電波がアンテナ２６の開放端部に受信され、導電性の時計ケース１４や裏蓋１６を採用した場合にも、アンテナ２６の受信感度の低下が阻止されることになり、アンテナ２６の受信感度が向上することになる。
【０１０７】
すなわち、角度αが上記の範囲より大きくなれば、中子部材４８の開口部３４以外の面積が小さくなって、中子部材４８の強度が小さくなるとともに、中子部材４８の開口部３４以外の面積が減るため、時計ケース１４と裏蓋１６との固定力も低下して、時計ケース１４と裏蓋１６との固定力が低下してしまい、その結果、裏蓋を時計ケースに確実に固定することができない。
【０１０８】
一方、角度αが上記の範囲より小さくなれば、裏蓋１６の中子部材４８の開口部３４を
、アンテナ２６の開放端部近傍に対向して配置できなくなり、特に、中子部材４８の開口部３４を、アンテナの軸線Ｃの延長上に位置するよう配置できなくなり、アンテナ２６の受信感度が低下してしまうからである。
【０１０９】
この場合、角度αが、好ましくは、２０°〜７０°の範囲、さらに好ましくは、３０°〜６０°の範囲、もっとも好ましくは、４０°〜５０°の範囲にあるのが望ましい。
また、後述の図１２、図１３に示した実施例２で説明するように、アンテナ２６の軸線Ｃの延長と時計ケース１４の内壁が描く円との交点Ｘと、時計ケース１４の内壁が描く円の中心Ｏとを結ぶ直線Ｇが、角度αを二等分するように構成されているのが望ましい。
【０１１０】
このように、アンテナ２６の軸線Ｃの延長と時計ケース１４の内壁が描く円との交点Ｘと、時計ケース１４の内壁が描く円の中心Ｏとを結ぶ直線Ｇが、角度αを二等分するように構成すれば、裏蓋１６の中子部材４８の開口部３４を、アンテナ２６の開放端部近傍に対向して確実に配置することができ、特に、中子部材４８の開口部３４が、アンテナ２６の軸線Ｃの延長上に位置するので、アンテナ２６の受信感度が低下することがない。
【０１１１】
さらに、この実施例の場合には、中子部材４８の外周側の係合用凸部５０と、時計ケース１４の下端近傍の内周側の係合用凹部５２との組み合わせを２組設けている。
このように、２組の時計ケースの係合用凹部５２と、裏蓋１６の中子部材４８の係合用凸部５０が、中子部材４８の開口部３４が形成されていない位置に相互に対向するように配置されているので、この２組の時計ケース１４の係合用凹部５２と、裏蓋１６の中子部材４８の係合用凸部５０との機械的な凹凸係合によって、裏蓋１６を時計ケース１４にさらに確実に固定することができるようになっている。
【０１１２】
しかしながら、この中子部材４８の係合用凸部５０と、時計ケース１４の係合用凹部５２との組み合わせは、上記の実施例のように２組に限定されるものではなく、図示しないが、少なくとも３組の時計ケース１４の係合用凹部５２と、裏蓋１６の中子部材４８の係合用凸部５０が、中子部材４８の開口部３４が形成されていない位置に略均等に配置するようにしてもよい。
【０１１３】
このように構成することによって、これらの略均等に配置された少なくとも３組の時計ケース１４の係合用凹部５２と、裏蓋１６の中子部材４８の係合用凸部５０との機械的な凹凸係合によって、裏蓋１６を時計ケース１４にさらに確実に固定することができる。
（実施例２）
【０１１４】
図７は、本発明の別の実施例の無線機能付き時計１０の図１と同様な分解斜視図、図８は、図７の無線機能付き時計の組み立てた状態のＡ−Ａ線方向の部分拡大断面図、図９は、図７の無線機能付き時計の裏蓋の中子部材の開口部の配置を示す実施例の上面図である。
【０１１５】
この実施例の無線機能付き時計１０は、図１〜図４に示した無線機能付き時計１０と基本的には同様な構成であり、同一の構成部材には、同一の参照番号を付して、その詳細な説明を省略する。
【０１１６】
この実施例の無線機能付き時計１０では、時計ケース１４が、時計ケース１４の下端に形成されたネジ孔１４ａを備え、裏蓋１６が、時計ケース１４のネジ孔１４ａに対応して、裏蓋１６の外周部に形成された固定ネジ用貫通孔１６ａを備えている。
そして、裏蓋１６の外周部に形成された固定ネジ用貫通孔１６ａを、時計ケース１４の下端に形成されたネジ孔１４ａに合致させて、固定用ネジ３８で固定することによって、裏蓋１６を時計ケース１４に固定するように構成されている。
【０１１７】
このように裏蓋１６の外周部に形成された固定ネジ用貫通孔１６ａを、時計ケース１４の下端に形成されたネジ孔１４ａに合致させて固定用ネジ３８で固定することによって、裏蓋１６を時計ケース１４に固定するように構成したので、裏蓋１６を時計ケース１４に固定する際には、時計ケース１４のネジ孔１４ａと裏蓋１６の蓋本体の固定ネジ用貫通孔１６ａとが一致するように位置合わせされる。
【０１１８】
そして、この状態で、固定用ネジ３８を固定ネジ用貫通孔１６ａに挿通し、時計ケース１４のネジ孔１４ａに螺合することによって、裏蓋１６が時計ケース１４に固定される。この際、時計ケース１４のネジ孔１４ａと裏蓋１６の蓋本体の固定ネジ用貫通孔１６ａとが位置合わせされて、時計ケース１４と裏蓋１６とが互いに固定されるので、時計ケース１４と裏蓋１６の相対的な位置が、正確に決定されることになる。
【０１１９】
このため、裏蓋１６の中子部材４８の開口部３４を、アンテナ２６の開放端部近傍に対向して確実に配置することができ、特に、中子部材４８の開口部３４を、アンテナ２６の軸線Ｃの延長上に位置することができるため、アンテナ２６の受信感度が低下することがない。
【０１２０】
また、このように裏蓋１６の外周部に形成された固定ネジ用貫通孔１６ａを、時計ケース１４の下端に形成されたネジ孔１４ａに合致させて、固定用ネジ３８で固定することによって、裏蓋１６を時計ケース１４に固定するように構成する場合に、中子部材４８の雄ネジ部４８ｃが占める面積を広く確保することができ、時計ケース１４と裏蓋１６との螺合による大きい固定力を維持することができ、その結果、裏蓋１６を時計ケース１４に確実に固定することができる。
【０１２１】
また、この場合にも、実施例１と同様に、中子部材４８の開口部３４が、平面視において、時計ケース１４の内壁が描く円の中心Ｏから、中子部材４８の周方向に沿った開口部３４の両端部３４ｃ、３４ｄとを結ぶ２つの半径Ｒ１、Ｒ２が成す角度をαとした場合に、角度αが、１０°〜８０°の範囲にあるのが望ましい。
【０１２２】
この場合も、実施例１と同様に、角度αが、好ましくは、２０°〜７０°の範囲、さらに好ましくは、３０°〜６０°の範囲、もっとも好ましくは、４０°〜５０°の範囲にあるのが望ましい。
また、実施例１と同様に、後述の図１２、図１３に示した実施例２で説明するように、アンテナ２６の軸線Ｃの延長と時計ケース１４の内壁が描く円との交点Ｘと、時計ケース１４の内壁が描く円の中心Ｏとを結ぶ直線Ｇが、角度αを二等分するように構成されているのが望ましい。
【０１２３】
この場合、この実施例２では、図７〜図９に示したように、中子部材４８の開口部３４が、アンテナ２６の開放両端部２６ａ、２６ｂに対向して配置された２つの開口部３４ａ、３４ｂから構成したが、図示しないが、図５に示した実施例と同様に、中子部材４８の開口部３４が、アンテナ２６の少なくとも一方の開放端部、アンテナ２６の開放端部２６ａに対向して配置された開口部３４ａから構成しても良い。
（実施例３）
【０１２４】
図１０は、本発明の別の実施例の無線機能付き時計１０の図１と同様な分解斜視図、図１１は、図１０の無線機能付き時計の組み立てた状態のＡ−Ａ線方向の部分拡大断面図、図１２は、図１０の無線機能付き時計の裏蓋の中子部材の開口部の配置を示す実施例の上面図、図１３は、図１０の無線機能付き時計の裏蓋を時計ケースに螺合により固定する状態を説明する上面図である。
【０１２５】
この実施例の無線機能付き時計１０は、図１〜図４に示した無線機能付き時計１０と基本的には同様な構成であり、同一の構成部材には、同一の参照番号を付して、その詳細な説明を省略する。
【０１２６】
この実施例の無線機能付き時計１０では、時計ケース１４が、時計ケース１４の内壁に形成された雌ネジ部１４ｃを備え、裏蓋１６の中子部材４８が、時計ケース１４の雌ネジ部１４ｃに対応して、中子部材４８の外周部に形成された雄ネジ部４８ｃを備えている。
そして、この中子部材４８の外周部に形成された雄ネジ部４８ｃを、時計ケース１４の内壁に形成された雌ネジ部１４ｃと螺合することによって、裏蓋１６を時計ケース１４に固定するように構成されている。
【０１２７】
このように構成することによって、裏蓋１６の中子部材４８の外周部に形成された雄ネジ部４８ｃを、時計ケース１４の内壁に形成された雌ネジ部１４ｃと螺合することによって、裏蓋１６を時計ケース１４に確実に固定することができるようになっている。
この場合、図１４に示したように、中子部材４８の開口部３４が、平面視において、時計ケース１４の内壁が描く円の中心Ｏから、中子部材４８の周方向に沿った開口部３４の両端部３４ｃ、３４ｄとを結ぶ２つの半径Ｒ１、Ｒ２が成す角度をαとした場合に、角度αが、１０°〜８０°の範囲にあるのが望ましい。
【０１２８】
すなわち、図１２に示したように、裏蓋を時計ケースにある程度固定した状態で、裏蓋を、図１３の矢印Ｈで示したように、時計ケースに対してさらに強く締め込むことによって、裏蓋は、時計回りに回転した位置をとり、逆に、図１３の矢印Ｉで示したように、弱い締め込み状態であれば、裏蓋は、反時計回りに回転した位置をとることになる。
従って、裏蓋の時計ケースに対する締め具合の強弱によって、裏蓋と時計ケースとの相対的な位置、すなわち、裏蓋の中子部材の開口部とアンテナの開放両端部との相対的な位置が変わることになる。
【０１２９】
このため、裏蓋の時計ケースに対する締め具合が強弱に変化しても、裏蓋の中子部材の開口部を、アンテナの開放端部近傍に対向して確実に配置するためには、特に、中子部材の開口部を、アンテナの軸線の延長上に位置するようにするために、このような範囲に角度αがあればよい。
このような範囲に角度αがあるように、中子部材４８の開口部３４を設けることによって、中子部材４８の開口部３４が、アンテナ２６の開放端部の近傍に対向して確実に配置されることになり、アンテナ２６の開放端部の近傍に電波の受信を妨げる導電性の中子部材４８が存在しないので、アンテナ２６の開放端部と導電性の中子部材４８との距離が大きくなる。
【０１３０】
従って、アンテナ２６の開放端部に発生する磁束と導電性の中子部材４８との干渉が避けられるとともに、これらの開口部３４を介して、電波がアンテナ２６の開放端部に受信され、導電性の時計ケース１４や裏蓋１６を採用した場合にも、アンテナ２６の受信感度の低下が阻止されることになり、アンテナ２６の受信感度が向上することになる。
【０１３１】
すなわち、角度αが上記の範囲より大きくなれば、中子部材の開口部以外の面積が小さくなって、中子部材の強度が小さくなるとともに、中子部材のネジ部が占める面積が減るため、時計ケースと裏蓋との螺合による固定力も低下して、時計ケースと裏蓋との螺合による固定力が低下してしまい、その結果、裏蓋を時計ケースに確実に固定することができない。
【０１３２】
一方、角度αが上記の範囲より小さくなれば、裏蓋の時計ケースに対する締め具合が強
弱に変化した場合に、裏蓋の中子部材の開口部を、アンテナの開放端部近傍に対向して配置できなくなり、特に、中子部材の開口部を、アンテナの軸線の延長上に位置するよう配置できなくなり、アンテナの受信感度が低下してしまうからである。
【０１３３】
この場合、角度αが、好ましくは、２０°〜７０°の範囲、さらに好ましくは、３０°〜６０°の範囲、もっとも好ましくは、４０°〜５０°の範囲にあるのが望ましい。
また、図１２、図１３に示したように、アンテナ２６の軸線Ｃの延長と時計ケース１４の内壁が描く円との交点Ｘと、時計ケース１４の内壁が描く円の中心Ｏとを結ぶ直線Ｇが、角度αを二等分するように構成されているのが望ましい。
【０１３４】
このように、アンテナ２６の軸線Ｃの延長と時計ケース１４の内壁が描く円との交点Ｘと、時計ケース１４の内壁が描く円の中心Ｏとを結ぶ直線Ｇが、角度αを二等分するように構成すれば、裏蓋１６の中子部材４８の開口部３４を、アンテナ２６の開放端部近傍に対向して確実に配置することができ、特に、中子部材４８の開口部３４が、アンテナ２６の軸線Ｃの延長上に位置するので、アンテナ２６の受信感度が低下することがない。
【０１３５】
なお、この場合、図１４に示したように、アンテナ２６の軸線Ｃが、アンテナ２６が円弧形状である場合には、アンテナ２６の開放両端部２６ａ、２６ｂを結ぶ弦Ｄであり、アンテナ２６の軸線Ｄの延長と時計ケース１４の内壁が描く円との交点Ｘと、時計ケース１４の内壁が描く円の中心Ｏとを結ぶ直線Ｇが、角度αを二等分するように構成すればよい。
【０１３６】
この場合、この実施例３では、図１０〜図１３に示したように、中子部材４８の開口部３４が、アンテナ２６の開放両端部２６ａ、２６ｂに対向して配置された２つの開口部３４ａ、３４ｂから構成したが、図示しないが、図５に示した実施例と同様に、中子部材４８の開口部３４が、アンテナ２６の少なくとも一方の開放端部、アンテナ２６の開放端部２６ａに対向して配置された開口部３４ａから構成しても良い。
（実施例４）
【０１３７】
図１５は、本発明の別の実施例の無線機能付き時計１０の部分拡大斜視図である。
【０１３８】
この実施例の無線機能付き時計１０は、図１〜図４に示した無線機能付き時計１０と基本的には同様な構成であり、同一の構成部材には、同一の参照番号を付して、その詳細な説明を省略する。
この実施例の無線機能付き時計１０では、図１〜図４に示した実施例では、中子部材４８の開口部３４が、中子部材４８の上端部が開放端３４ｅとなるように、中子部材４８を平面方向に貫通するように形成したスリット形状の開口部３４となっているが、この実施例では、中子部材４８を平面方向に貫通するように形成した開口部３４'となっている。
【０１３９】
なお、図１〜図４に示した実施例のように中子部材４８の開口部３４が、中子部材４８の上端部が開放端３４ｅとなるように、中子部材４８を平面方向に貫通するように形成した開口部３４、この実施例のように、中子部材４８を平面方向に貫通するように形成した開口部３４'であれば、開口部３４、３４’を、例えば、プレス加工や切削加工などの極めて簡単な加工で形成することができ、加工性、生産性に優れることになる。
【０１４０】
以上、本発明の好ましい実施の態様を説明してきたが、本発明はこれに限定されることはなく、例えば、上記実施例では、ハウジング１２を構成する時計ケース１４、裏蓋１６を導電性の金属製としたが、導電性の部品と、非導電性の部品が混在してもかまわない。また、ハウジング１２は、少なくとも一部が導電性、または、少なくとも一部が非導電性の部材であってもよい。
【０１４１】
さらに、本発明におけるハウジング１２を構成する部品、例えば、時計ケース１４にス
リットが形成されても良く、または、時計ケース１４に開口部３４を形成せずに、環状部材だけにスリットが形成されてもかまわない。時計ケース１４における開口部３４の有無にかかわらず、本発明によれば、環状部材の渦電流に起因するアンテナの受信感度の低下が回避されるので、アンテナの受信感度が向上する。このように、本発明の目的を逸脱しない範囲で種々の変更が可能である。
【図面の簡単な説明】
【０１４２】
【図１】図１は、本発明の無線機能付き時計の実施例の分解斜視図である。
【図２】図２は、図１の無線機能付き時計の組み立てた状態のＡ−Ａ線方向の部分拡大断面図である。
【図３】図３は、図１の無線機能付き時計の組み立てた状態のＢ−Ｂ線方向の部分拡大断面図である。
【図４】図４は、図１の無線機能付き時計の裏蓋の中子部材の開口部の配置を示す実施例の上面図である。
【図５】図５は、本発明の無線機能付き時計の開口部３４の配置を示す実施例の上面図である。
【図６】図６は、本発明の無線機能付き時計の開口部３４の配置を示す実施例の上面図である。
【図７】図７は、本発明の別の実施例の無線機能付き時計１０の図１と同様な分解斜視図である。
【図８】図８は、図７の無線機能付き時計の組み立てた状態のＡ−Ａ線方向の部分拡大断面図である。
【図９】図９は、図７の無線機能付き時計の裏蓋の中子部材の開口部の配置を示す実施例の上面図である。
【図１０】図１０は、本発明の別の実施例の無線機能付き時計１０の図１と同様な分解斜視図である。
【図１１】図１１は、図１０の無線機能付き時計の組み立てた状態のＡ−Ａ線方向の部分拡大断面図である。
【図１２】図１２は、図１０の無線機能付き時計の裏蓋の中子部材の開口部の配置を示す実施例の上面図である。
【図１３】図１３は、図１０の無線機能付き時計の裏蓋を時計ケースに螺合により固定する状態を説明する上面図である。
【図１４】図１４は、図１０の無線機能付き時計の裏蓋の中子部材の開口部の配置を示す実施例の上面図である。
【図１５】図１５は、図１５は、本発明の別の実施例の無線機能付き時計１０の部分拡大斜視図である。
【図１６】図１６は、従来の無線機能付き時計の実施例の分解斜視図である。
【図１７】図１７は、従来の無線機能付き時計の実施例の上面概略図である。
【符号の説明】
【０１４３】
１０   無線機能付き時計
１２   ハウジング
１１   分針
１３   時針
１４   時計ケース
１４ａ ネジ孔
１４ｃ 雌ネジ部
１６   裏蓋
１６ａ 固定ネジ用貫通孔
１８   風防
２０   ムーブメント
２０ａ 小径部
２０ｂ 大径部
２２   ソーラーセル
２４   文字板
２６   アンテナ
２６ａ、２６ｂ       開放端部
２６ｃ 磁芯部材
２６ｄ コイル
２８   バンド取り付け部
３０   脚部
３１   針軸
３２   突出部
３４   開口部
３４ａ、３４ｂ       開口部
３４ｃ、３４ｄ       両端部
３４ｅ 開放端
３４'   開口部
３８   固定用ネジ
４６   パッキン
４８   中子部材
４８ｃ 雄ネジ部
５０   係合用凸部
５１   防水パッキン
５２   係合用凹部
５４   支持枠
１００ 電波時計
１０２ ハウジング
１０４ 時計ケース
１０６ 裏蓋
１０８ 風防
１１０ ムーブメント
１１２ ソーラーセル
１１４ 文字板
１１６ アンテナ
１１８ バンド取り付け部
１２０ 脚部
１２２ スリット
２００ 電波時計
２０２ 時計ケース
２０４ アンテナ
２０４ａ、２０４ｂ   両端部
２０６ 肉厚部
２０６ かん部
２０８ 内壁
２１０ａ、２０１ｂ   空間
Ｃ     軸線
Ｄ     弦（軸線）
Ｅ     アンテナ２６の上下方向に沿った断面
Ｆ     アンテナ２６のコアの上下方向に沿った断面
Ｇ     直線
Ｏ     中心
Ｒ１、Ｒ２    半径
Ｘ     交点
α     角度
【図１】
0005442935.tif 000002
【図２】
0005442935.tif 000003
【図３】
0005442935.tif 000004
【図４】
0005442935.tif 000005
【図５】
0005442935.tif 000006
【図６】
0005442935.tif 000007
【図７】
0005442935.tif 000008
【図８】
0005442935.tif 000009
【図９】
0005442935.tif 000010
【図１０】
0005442935.tif 000011
【図１１】
0005442935.tif 000012
【図１２】
0005442935.tif 000013
【図１３】
0005442935.tif 000014
【図１４】
0005442935.tif 000015
【図１５】
0005442935.tif 000016
【図１６】
0005442935.tif 000017
【図１７】
0005442935.tif 000018